【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
少なくとも１つの熱可塑性ポリマー及び表面処理フィラー材料製品を含む、１〜１０ｇ／ｍ２の坪量を有する通気性フィルムであって、前記表面処理フィラー材料製品が、
Ａ）少なくとも１つの粉砕炭酸カルシウム含有フィラー材料であって、
− ０．１μｍ〜７μｍの範囲の重量中央粒径ｄ５０、
− ≦１５μｍのトップカット粒径ｄ９８、
−  ＩＳＯ９２７７にしたがう窒素及びＢＥＴ法を使用して測定される、０．５〜１５０ｍ２／ｇの比表面積（ＢＥＴ）、並びに
− 前記少なくとも１つの粉砕炭酸カルシウム含有フィラー材料の全乾燥重量に基づいて、≦１重量％の残留全含水率、
を有する材料、並びに
Ｂ）前記少なくとも１つの粉砕炭酸カルシウム含有フィラー材料の表面の処理層であって、
ｉ．１つ以上のリン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による前記材料の混合物、
を含む処理層
を含み、
前記表面処理フィラー材料製品が、前記少なくとも１つの粉砕炭酸カルシウム含有フィラー材料の全乾燥重量に基づいて、０．１〜３重量％の量で前記処理層を含む、通気性フィルム。
【請求項２】
前記少なくとも１つの粉砕炭酸カルシウム含有フィラー材料が、湿式粉砕炭酸カルシウム含有フィラー材料である、請求項１に記載の通気性フィルム。
【請求項３】
前記少なくとも１つの熱可塑性ポリマーが、ポリオレフィンである、請求項１又は２に記載の通気性フィルム。
【請求項４】
前記少なくとも１つの熱可塑性ポリマーがポリプロピレン、ポリエチレン、ポリブチレン、及びそれらの混合物からなる群から選択される、請求項１又は２に記載の通気性フィルム。
【請求項５】
前記通気性フィルムが、通気性フィルムの全重量に基づいて、１〜８５重量％の量で前記表面処理フィラー材料製品を含む、請求項１〜４のいずれか一項に記載の通気性フィルム。
【請求項６】
前記通気性フィルムが、通気性フィルムの全重量に基づいて、２〜８０重量％の量で前記表面処理フィラー材料製品を含む、請求項１〜４のいずれか一項に記載の通気性フィルム。
【請求項７】
前記少なくとも１つの粉砕炭酸カルシウム含有フィラー材料が、天然粉砕炭酸カルシウム、沈降炭酸カルシウム、改質炭酸カルシウム、表面処理炭酸カルシウム、又はそれらの混合物である、請求項１〜６のいずれか一項に記載の通気性フィルム。
【請求項８】
前記少なくとも１つの粉砕炭酸カルシウム含有フィラー材料が、天然粉砕炭酸カルシウムである、請求項１〜６のいずれか一項に記載の通気性フィルム。
【請求項９】
前記少なくとも１つの粉砕炭酸カルシウム含有フィラー材料が、
ａ）０．２５μｍ〜５μｍの重量中央粒径ｄ５０、並びに／又は
ｂ）≦１２．５μｍのトップカット粒径ｄ９８、並びに／又は
ｃ）すべての粒子の少なくとも６５重量％が＜１μｍの粒径を有するような細かさ、
を有する、請求項１〜８のいずれか一項に記載の通気性フィルム。
【請求項１０】
前記少なくとも１つの粉砕炭酸カルシウム含有フィラー材料が、
ａ）０．５μｍ〜４μｍの重量中央粒径ｄ５０、並びに／又は
ｂ）≦１０μｍのトップカット粒径ｄ９８、並びに／又は
ｃ）すべての粒子の少なくとも７０重量％が＜１μｍの粒径を有するような細かさ、
を有する、請求項１〜８のいずれか一項に記載の通気性フィルム。
【請求項１１】
前記少なくとも１つの粉砕炭酸カルシウム含有フィラー材料が、ＩＳＯ９２７７にしたがう窒素及びＢＥＴ法を使用して測定される、０．５〜５０ｍ２／ｇの比表面積（ＢＥＴ）を有する、請求項１〜１０のいずれか一項に記載の通気性フィルム。
【請求項１２】
前記少なくとも１つの粉砕炭酸カルシウム含有フィラー材料が、ＩＳＯ９２７７にしたがう窒素及びＢＥＴ法を使用して測定される、０．５〜３５ｍ２／ｇの比表面積（ＢＥＴ）を有する、請求項１〜１０のいずれか一項に記載の通気性フィルム。
【請求項１３】
前記少なくとも１つの粉砕炭酸カルシウム含有フィラー材料が、前記少なくとも１つの粉砕炭酸カルシウム含有フィラー材料の全乾燥重量に基づいて、０．０１〜０．２重量％の残留全含水率を有する、請求項１〜１２のいずれか一項に記載の通気性フィルム。
【請求項１４】
前記少なくとも１つの粉砕炭酸カルシウム含有フィラー材料が、前記少なくとも１つの粉砕炭酸カルシウム含有フィラー材料の全乾燥重量に基づいて、０．０２〜０．１５重量％の残留全含水率を有する、請求項１〜１２のいずれか一項に記載の通気性フィルム。
【請求項１５】
前記少なくとも１つの粉砕炭酸カルシウム含有フィラー材料の表面の処理層が、少なくとも１つの飽和脂肪族直鎖若しくは分岐鎖カルボン酸及びそれらの塩反応生成物を含む、請求項１〜１４のいずれか一項に記載の通気性フィルム。
【請求項１６】
前記少なくとも１つの飽和脂肪族直鎖若しくは分岐鎖カルボン酸が、ペンタン酸、ヘキサン酸、ヘプタン酸、オクタン酸、ノナン酸、デカン酸、ウンデカン酸、ラウリン酸、トリデカン酸、ミリスチン酸、ペンタデカン酸、パルミチン酸、ヘプタデカン酸、ステアリン酸、ノナデカン酸、アラキジン酸、ヘンイコシル酸、ベヘン酸、トリコシル酸、リグノセリン酸及びそれらの混合物からなるカルボン酸からなる群から選択される、請求項１５に記載の通気性フィルム。
【請求項１７】
前記表面処理フィラー材料製品が、２３℃（±２℃）の温度で、０．１〜１ｍｇ／ｇの水分吸収を有する、請求項１〜１６のいずれか一項に記載の通気性フィルム。
【請求項１８】
前記表面処理フィラー材料製品が、２３℃（±２℃）の温度で、０．２〜０．９ｍｇ／ｇの水分吸収を有する、請求項１〜１６のいずれか一項に記載の通気性フィルム。
【請求項１９】
前記表面処理フィラー材料製品が、≧２５０℃の揮発開始温度を有する、請求項１〜１８のいずれか一項に記載の通気性フィルム。
【請求項２０】
前記表面処理フィラー材料製品が、≧２６０℃の揮発開始温度を有する、請求項１〜１８のいずれか一項に記載の通気性フィルム。
【請求項２１】
前記フィルムが、５〜１０ｇ／ｍ２の坪量を有する、請求項１〜２０のいずれか一項に記載の通気性フィルム。
【請求項２２】
前記フィルムが、６〜１０ｇ／ｍ２の坪量を有する、請求項１〜２０のいずれか一項に記載の通気性フィルム。
【請求項２３】
１〜１０ｇ／ｍ２の坪量を有する通気性フィルムを製造するためのプロセスであって、
ａ）少なくとも１つの熱可塑性ポリマー及び表面処理フィラー材料製品を含む組成物を提供する工程、並びに
ｂ）工程ａ）の前記組成物からフィルムを形成する工程、並びに
ｃ）工程ｂ）で得られた前記フィルムを少なくとも１方向に延伸する工程
を含み、
前記表面処理フィラー材料製品が、
Ａ）少なくとも１つの粉砕炭酸カルシウム含有フィラー材料であって、
− ０．１μｍ〜７μｍの範囲の重量中央粒径ｄ５０、
− ≦１５μｍのトップカット粒径ｄ９８、
− ＩＳＯ９２７７にしたがう窒素及びＩＢＥＴ法を使用して測定される、０．５〜１５０ｍ２／ｇの比表面積（ＢＥＴ）、並びに
− 前記少なくとも１つの粉砕炭酸カルシウム含有フィラー材料の全乾燥重量に基づいて、≦１重量％の残留全含水率、
を有する材料、並びに
Ｂ）前記少なくとも１つの粉砕炭酸カルシウム含有フィラー材料の表面の処理層であって、
ｉ．１つ以上のリン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による前記材料の混合物、
を含む処理層
を含み、
前記表面処理フィラー材料製品が、前記少なくとも１つの粉砕炭酸カルシウム含有フィラー材料の全乾燥重量に基づいて、０．１〜３重量％の量で前記処理層を含む、プロセス。
【請求項２４】
工程ａ）において提供される前記組成物が、前記少なくとも１つの熱可塑性ポリマー及び前記表面処理フィラー材料製品を混合及び／又は混錬して混合物を形成すること、並びに得られた混合物を水中で連続的にペレット化することによって得られるマスターバッチ又は化合物である、請求項２３に記載のプロセス。
【請求項２５】
１〜１０ｇ／ｍ２の坪量を有する通気性フィルム中のフィラーとしての表面処理フィラー材料製品の使用であって、前記表面処理フィラー材料製品が、
Ａ）少なくとも１つの粉砕炭酸カルシウム含有フィラー材料であって、
− ０．１μｍ〜７μｍの範囲の重量中央粒径ｄ５０、
− ≦１５μｍのトップカット粒径ｄ９８、
− ＩＳＯ９２７７にしたがう窒素及びＢＥＴ法を使用して測定される、０．５〜１５０ｍ２／ｇの比表面積（ＢＥＴ）、並びに
− 前記少なくとも１つの粉砕炭酸カルシウム含有フィラー材料の全乾燥重量に基づいて、≦１重量％の残留全含水率、
を有する材料、並びに
Ｂ）前記少なくとも１つの粉砕炭酸カルシウム含有フィラー材料の表面の処理層であって、
ｉ．１つ以上のリン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による前記材料の混合物、
を含む処理層
を含み、
前記表面処理フィラー材料製品が、前記少なくとも１つの粉砕炭酸カルシウム含有フィラー材料の全乾燥重量に基づいて、０．１〜３重量％の量で前記処理層を含む、使用。
【請求項２６】
衛生用品、医療製品、ヘルスケア製品、フィルター製品、ジオテキスタイル製品、農業製品、園芸製品、衣類、履物製品、鞄製品、家庭製品、工業製品、包装製品、建築製品、及び建設製品からなる群から選択される、請求項１〜２２のいずれか一項に記載の１〜１０ｇ／ｍ２の坪量を有する通気性フィルムを含む物品。
【請求項２７】
衛生用途、医療用途、ヘルスケア用途、ろ過材料、ジオテキスタイル製品、農業用途、園芸用途、衣類、履物製品、鞄製品、家庭用途、工業用途、包装用途、建築用途、又は建設における、請求項１〜２２のいずれか一項に記載の１〜１０ｇ／ｍ２の坪量を有する通気性フィルムの使用。